(57)【要約】【課題】  排水栓が劣化したり、損傷を受けたような場合などに、排水栓を取り換える際にも、排水口のサイズに合った排水栓を探すのに手間取ったり、また、準備した排水栓が排水口の大きさに合わなくて排水栓としての機能を果たさないというトラブルが発生することをなくすこと。【解決手段】  円錐台状の栓の小径側に、１個以上の円錐台状カバーを外嵌し、栓と円錐台状カバーとを雄ねじ部材と雌ねじ部材とにより挟着して一体化する。また、円錐台状の栓の小径側に、１個または複数個の円錐台状カバーを外嵌し、一方端に雌ねじが螺刻され、他方端にチェーン取付部が設けられるとともに鍔が形成された略円柱状の雌ねじ部材の一方端を前記栓の大径側から挿入し、円錐台状カバー側から挿入された雄ねじ部材と雌ねじ部材により栓と円錐台状カバーとを挟着して成ることを特徴としてもよい。【選択図】        図３
2005095583.tif 000002
【特許請求の範囲】
【請求項１】
円錐台状の栓の小径側に、１個または複数個の円錐台状カバーを外嵌し、
雄ねじ部材と雌ねじ部材により前記栓と前記円錐台状カバーとを挟着して成ることを特徴とする排水栓。
【請求項２】
円錐台状の栓の小径側に、１個または複数個の円錐台状カバーを外嵌し、
一方端に雌ねじが螺刻され、他方端にチェーン取付部が設けられるとともに鍔が形成された略円柱状の雌ねじ部材の一方端を前記栓の大径側から挿入し、
前記円錐台状カバー側から挿入された雄ねじ部材と前記雌ねじ部材により前記栓と前記円錐台状カバーとを挟着して成ることを特徴とする排水栓。
【請求項３】
円錐台状の栓の小径側に、１個または複数個の円錐台状カバーを外嵌し、
頭部にチェーン取付部が設けられた雄ねじ部材を前記栓の大径側から挿入し、前記円錐台状カバーの小径側に突出した前記雄ねじ部材と雌ねじ部材により、前記栓と前記円錐台状カバーとを挟着して成ることを特徴とする排水栓。
【請求項４】
前記栓の大径側に鍔が設けられていることを特徴とする請求項１から請求項３に記載の排水栓。
【請求項５】
円錐台状の栓本体部及び該栓本体部の大径側部分から延設された鍔を有する栓と、該栓本体部に対して小径側から外嵌される１個または複数個の円錐台状カバーと、を具備する閉止部を備える排水栓であって、
前記閉止部は大径側から小径側に貫通する貫通孔を具備し、
一端に頭部を備えた雄ねじ部材の軸部を、前記閉止部の小径側から前記貫通孔に挿通し、該雄ねじ部材の軸部に螺刻された雄ねじを、前記閉止部の大径側に露呈させると共に、
一端に前記鍔に当接可能な押圧部を備える雌ねじ部材の雌ねじと、前記雄ねじとを前記閉止部の大径側において螺合し、
前記押圧部で前記鍔を押圧しつつ、前記雌ねじ部材と前記頭部とで前記閉止部を挟着して成ることを特徴とする排水栓。
【請求項６】
円錐台状の栓本体部を有する栓と、該栓本体部に対して小径側から外嵌される１個または複数個の円錐台状カバーと、を具備する閉止部を備える排水栓であって、
前記閉止部は大径側から小径側に貫通する貫通孔を具備し、
一端に頭部を備えた雄ねじ部材の軸部を、前記閉止部の小径側から前記貫通孔に挿通し、該雄ねじ部材の軸部に螺刻された雄ねじを、前記閉止部の大径側に露呈させると共に、
雌ねじ部材の雌ねじと、前記雄ねじとを前記閉止部の大径側において螺合し、該雌ねじ部材と前記頭部とで前記閉止部を挟着して成り、
前記雄ねじ部材及び前記雌ねじ部材のうちの一方に対して、連結具を取り付け、
前記雄ねじ部材及び前記雌ねじ部材のうちの他方に対して、前記雄ねじ部材及び前記雌ねじ部材の間に相対回転を与えた場合に前記連結具と当接する当接部を設けたことを特徴とする排水栓。
【発明の詳細な説明】
【技術分野】
【０００１】
本発明は、浴槽、洗面台等の排水口を必要に応じて閉止する目的で用いられる、ゴム製や樹脂製の排水栓に関する。
【背景技術】
【０００２】
従来から使用されている排水栓として下方が小径となる円錐台状の栓本体に、栓本体の下方中央部から上方に向かって頭付きピンを圧入し、栓本体の上方に突出したピン端にチェーンを取り付けたものが知られている（例えば、特許文献１参照）。
【特許文献１】実開昭６２−１３９３８９号公報
【発明の開示】
【発明が解決しようとする課題】
【０００３】
ところで、排水栓は長期間にわたる使用により劣化したり、なんらかの原因で排水栓が損傷を受けたような場合などに排水栓を取り換える必要が生じることがある。しかしながら、洗面台、浴槽等の排水口のサイズは多種にわたっており、排水口のサイズに合った排水栓を探すのに手間取ったり、また、準備した排水栓が排水口の大きさに合わなくて排水口を閉止できず排水栓としての機能を果たさないというトラブルが発生することがあった。
【０００４】
本発明は、上記課題を解決するものであり、多種にわたる様々なサイズの排水口の閉止に適用できる排水栓を提供することを目的とする。
【課題を解決するための手段】
【０００５】
請求項１の発明の排水栓は、「円錐台状の栓の小径側に、１個または複数個の円錐台状カバーを外嵌し、雄ねじ部材と雌ねじ部材により前記栓と前記円錐台状カバーとを挟着して成ること」を特徴とする。
【０００６】
請求項１の発明によると、栓に外嵌する円錐台状カバーの数を増減することにより排水栓の大きさを自由に変更することが可能になる。すなわち、予め準備した排水栓のサイズが排水口のサイズよりも大きくて排水口を閉止できない場合は、外側の円錐台状カバーを適数個取り外し、排水口を閉止できる大きさに合う円錐台状カバーの数に改めて後、雄ねじ部材と雌ねじ部材とにより、栓と円錐台状カバーを挟着して一体化することにより排水口の閉止を可能にすることができる。
【０００７】
また、排水栓のサイズが排水口より小さくて排水口を閉止できない場合には、円錐台状カバーを適数個外嵌し、排水口を閉止できる大きさに合う円錐台状カバーの数にして、改めて雄ねじ部材と雌ねじ部材により栓と円錐台状カバーを挟着して一体化することにより排水口の閉止を可能にすることができる。したがって、請求項１の発明によると、栓に外嵌する円錐台状カバーの数を増減することにより、様々なサイズの排水口の閉止に適用できるから、洗面台、浴槽等の排水口のサイズに合った排水栓を探すのに手間取ることもなく、また、準備した排水栓が排水口の大きさに合わなくて排水栓としての機能を果たさないというトラブルが解消される。
【０００８】
請求項２の発明の排水栓は、「円錐台状の栓の小径側に、１個または複数個の円錐台状カバーを外嵌し、一方端に雌ねじが螺刻され、他方端にチェーン取付部が設けられるとともに鍔が形成された略円柱状の雌ねじ部材の一方端を前記栓の大径側から挿入し、前記円錐台状カバー側から挿入された雄ねじ部材と前記雌ねじ部材により前記栓と前記円錐台状カバーとを挟着して成ること」を特徴とする。
【０００９】
請求項２の発明によると、請求項１の発明の雌ねじ部材を具体的に特定して、雌ねじ部材にチェーン取付部を取り付けたから、雌ねじ部材のチェーン取付部に排水栓チェーンを取り付けることにより排水栓の排水口への着脱を容易に行うことができる。
【００１０】
請求項３の発明の排水栓は、「円錐台状の栓の小径側に、１個または複数個の円錐台状カバーを外嵌し、頭部にチェーン取付部が設けられた雄ねじ部材を前記栓の大径側から挿入し、前記円錐台状カバーの小径側に突出した前記雄ねじ部材と雌ねじ部材により、前記栓と前記円錐台状カバーとを挟着して成ること」を特徴とする。
【００１１】
請求項３の発明によると、請求項１の発明の雄ねじ部材を具体的に特定し、雄ねじ部材の頭部にチェーン取付部を取り付けたから、雄ねじ部材のチェーン取付部に排水栓チェーンを取り付けることにより排水栓の排水口への着脱を容易に行うことができる。
【００１２】
請求項４の発明の排水栓は、請求項１から請求項３の発明の「栓の大径側に鍔が設けられていること」を特徴とする。
【００１３】
請求項４の発明によると、請求項１から請求項３の発明の栓の大径側に鍔を設けたから、水圧による排水栓の排水口への過度の食い込みが防止され、排水栓の脱着を容易に行うことができる。また、請求項４の発明によれば、栓に外嵌された円錐台状カバーの大径側を鍔が隠すことになるから、排水栓の美観上好ましい。
【００１４】
請求項５の発明の排水栓は、「円錐台状の栓本体部及び該栓本体部の大径側部分から延設された鍔を有する栓と、該栓本体部に対して小径側から外嵌される１個または複数個の円錐台状カバーと、を具備する閉止部を備える排水栓であって、前記閉止部は大径側から小径側に貫通する貫通孔を具備し、一端に頭部を備えた雄ねじ部材の軸部を、前記閉止部の小径側から前記貫通孔に挿通し、該雄ねじ部材の軸部に螺刻された雄ねじを、前記閉止部の大径側に露呈させると共に、一端に前記鍔に当接可能な押圧部を備える雌ねじ部材の雌ねじと、前記雄ねじとを前記閉止部の大径側において螺合し、前記押圧部で前記鍔を押圧しつつ、前記雌ねじ部材と前記頭部とで前記閉止部を挟着して成ること」を特徴とする。
【００１５】
ここで、請求項５の発明の「栓」は請求項１の発明の「栓」に対応し、請求項５の発明の「鍔」は請求項４の発明の「鍔」に対応する。そして、請求項５の発明によっても、請求項１の発明及び請求項４の発明と同様な効果を発揮する。つまり、請求項５の発明によると、栓に外嵌する円錐台状カバーの数を増減することにより排水栓の大きさを自由に変更することが可能になる。すなわち、予め準備した排水栓のサイズが排水口のサイズよりも大きくて排水口を閉止できない場合は、外側の円錐台状カバーを適数個取り外し、排水口を閉止できる大きさに合う円錐台状カバーの数に改めて後、雄ねじ部材と雌ねじ部材とにより、栓と円錐台状カバーを挟着して一体化することにより排水口の閉止を可能にすることができる。
【００１６】
また、排水栓のサイズが排水口より小さくて排水口を閉止できない場合には、円錐台状カバーを適数個外嵌し、排水口を閉止できる大きさに合う円錐台状カバーの数にして、改めて雄ねじ部材と雌ねじ部材により栓と円錐台状カバーを挟着して一体化することにより排水口の閉止を可能にすることができる。したがって、請求項５の発明によっても、栓に外嵌する円錐台状カバーの数を増減することにより、閉止部のサイズを変更し、様々なサイズの排水口の閉止に適用できるから、洗面台、浴槽等の排水口のサイズに合った排水栓を探すのに手間取ることもなく、また、準備した排水栓が排水口の大きさに合わなくて排水栓としての機能を果たさないというトラブルが解消される。
【００１７】
更に、請求項５の発明によると、栓の大径側に鍔を設けたから、水圧による排水栓の排水口への過度の食い込みが防止され、排水栓の脱着を容易に行うことができる。また、請求項５の発明によれば、栓に外嵌された円錐台状カバーの大径側を鍔が隠すことになるから、排水栓の美観上好ましい。
【００１８】
また、請求項５の発明によると、以上の効果に加えて、「排水栓の閉止性能（シール性能）を高めることができる」という効果を得ることもできる。この点に関して、図１５を用いて説明する。ここで、図１５に示す排水栓１０は、請求項４の発明の一具体例を示している。そして、この排水栓１０を構成する栓１は、円錐台状の栓本体部２と、栓本体部２の大径側部分２ａ（上面側部分）において、この大径側部分２ａ（上面側部分）の半径外側方向に延設された鍔３と、を有している。また、栓本体部２と、その小径側から外嵌される複数個（３つを例示）の円錐台状カバー１１、２１、３１とで、閉止部Ｈを構成している。
【００１９】
この具体例において、閉止部Ｈの大径側から小径側に貫通するように設けられた貫通孔Ｋに、雄ねじ部材４１の軸部４１ａ（雄ねじ部）を挿通し、軸部４１ａに螺刻された雄ねじ４３を、閉止部Ｈの大径側（上面側）に露呈させている。そして、閉止部Ｈの大径側おいて、この雄ねじ４３に雌ねじ部材６の雌ねじ８を螺合し、雌ねじ部材６と、雄ねじ部材の頭部４１ｂとで閉止部Ｈを挟着している。ところが、この具体例には、以下の点で更に改良の余地がある。つまり、この具体例では、雌ねじ部材６が、閉止部Ｈの大径側のうちで栓本体部２のみを押圧する。つまり、雌ねじ部材６が、鍔３を直接、押圧しないため、この鍔３が被密着部位１０５（例えば、浴槽１０３の底面において、排水口１０１の周囲に位置する部位）に十分に密着できない可能性がある。よって、排水栓１の使用中に、鍔３が被密着部位１０５から不用意に離間し（破線Ｌを参照）、排水栓１０の閉止性能（シール性能）が低下する可能性がある。例えば、図１５のように排水口１０１の上部開口径が円錐台状カバー３１の最大径より大きい場合、鍔３は上方へ湾曲しようとして被密着部位１０５から離れようとする。
【００２０】
一方、請求項５の発明では、雌ねじ部材の一端に押圧部を設け、この押圧部を鍔に当接させ、この押圧部で鍔を押圧しつつ、雌ねじ部材と頭部とで閉止部を挟着している。つまり、雌ねじ部材に押圧部を付加し、この押圧部よって鍔を直接、押圧するため、鍔が「被密着部位」に十分に密着できる。このため、請求項５の発明によると、「排水栓」の閉止性能（シール性能）を高めることができる。
【００２１】
ここで、押圧部の具体的な態様は特に問わないが、例えば、略筒状に構成される「雌ねじ部材（ナット等）」の一端部（栓に当接する端部）に鍔部を延設し、この一端部及び鍔部によって押圧部を構成する態様や、雌ねじ部材の全体平面形状を拡大し、一端部（栓に当接する端部）によって押圧部を構成する態様を例示できる。また、押圧部は、「栓の鍔」の全域に当接してもよいが、この鍔の少なくとも一部に当接するだけでもよい。また、押圧部の面積（鍔に当接する側の面の面積）を、鍔の面積（押圧部に当接する側の面の面積）よりも大きくし、押圧部で鍔を覆い隠す状態としてもよい。
【００２２】
また、押圧部（雌ねじ部材）の剛性を、鍔（栓）の剛性よりも高くすることが望ましい。例えば、鍔（栓）を、軟質の素材で構成する場合に、押圧部（雌ねじ部材）を鍔（栓）を構成する素材よりも硬質の素材で構成する場合を例示できる。ここで、「軟質の素材」としては、天然ゴム、合成ゴム、軟質塩化ビニル樹脂、熱可塑性エラストマー等を例示でき、硬質の素材としては、金属や、ＡＢＳ、ＡＣＳ、ＰＯＭ等の硬質樹脂等を例示できる。
【００２３】
請求項６の発明の排水栓は、「円錐台状の栓本体部を有する栓と、該栓本体部に対して小径側から外嵌される１個または複数個の円錐台状カバーと、を具備する閉止部を備える排水栓であって、前記閉止部は大径側から小径側に貫通する貫通孔を具備し、一端に頭部を備えた雄ねじ部材の軸部を、前記閉止部の小径側から前記貫通孔に挿通し、該雄ねじ部材の軸部に螺刻された雄ねじを、前記閉止部の大径側に露呈させると共に、雌ねじ部材の雌ねじと、前記雄ねじとを前記閉止部の大径側において螺合し、該雌ねじ部材と前記頭部とで前記閉止部を挟着して成り、前記雄ねじ部材及び前記雌ねじ部材のうちの一方に対して、連結具を取り付け、前記雄ねじ部材及び前記雌ねじ部材のうちの他方に対して、前記雄ねじ部材及び前記雌ねじ部材の間に相対回転を与えた場合に前記連結具と当接する当接部を設けたこと」を特徴とする。
【００２４】
ここで、請求項６の発明の「栓」は請求項１の発明の「栓」に対応する。そして、請求項６の発明によっても、請求項１の発明と同様な効果を発揮する。つまり、請求項６の発明によると、栓に外嵌する円錐台状カバーの数を増減することにより排水栓の大きさを自由に変更することが可能になる。すなわち、予め準備した排水栓のサイズが排水口のサイズよりも大きくて排水口を閉止できない場合は、外側の円錐台状カバーを適数個取り外し、排水口を閉止できる大きさに合う円錐台状カバーの数に改めて後、雄ねじ部材と雌ねじ部材とにより、栓と円錐台状カバーを挟着して一体化することにより排水口の閉止を可能にすることができる。
【００２５】
また、排水栓のサイズが排水口より小さくて排水口を閉止できない場合には、円錐台状カバーを適数個外嵌し、排水口を閉止できる大きさに合う円錐台状カバーの数にして、改めて雄ねじ部材と雌ねじ部材により栓と円錐台状カバーを挟着して一体化することにより排水口の閉止を可能にすることができる。したがって、請求項６の発明によっても、栓に外嵌する円錐台状カバーの数を増減することにより、閉止部のサイズを変更し、様々なサイズの排水口の閉止に適用できるから、洗面台、浴槽等の排水口のサイズに合った排水栓を探すのに手間取ることもなく、また、準備した排水栓が排水口の大きさに合わなくて排水栓としての機能を果たさないというトラブルが解消される。
【００２６】
更に、請求項６の発明によると、以上の効果に加えて、「簡易な構成でねじの緩みを防止できる」という効果が得られる。つまり、請求項６の発明では、雄ねじ部材及び雌ねじ部材の間に相対的な回転を生じ、雄ねじ部材及び雌ねじ部材が不用意に緩もうとした場合に、連結具が当接部と当接する。即ち、雄ねじ部材及び雌ねじ部材のうちの一方と一体で回転する連結具が、雄ねじ部材及び雌ねじ部材のうちの他方に設けられた当接部に当接し、「雄ねじ部材及び雌ねじ部材の間に、その以上の相対回転を生ずること」が禁止され、雄ねじ部材及び雌ねじ部材の緩み止めが図られる。しかも、この緩み止めのために、「通常の排水栓において一般的に用いられる連結具）」を利用する。つまり、請求項６の発明によると、通常の排水栓において、構造上不可欠な部品（連結具）を巧みに利用するため、排水栓の構成を複雑化することなく、雄ねじ部材及び雌ねじ部材の不用意な緩みを防止できる。
【００２７】
ここで、「連結具」は、排水栓を所定の設置部位（浴槽、洗面台、シンク等）に連結するために、当該排水栓と当該設置部位との間に介在される連結用の部品である。例えば、チェーンと連結リングとを備える連結具を例示できる。この場合、連結リングが直接、雄ねじ部材及び雌ねじ部材のうちの一方に取り付けられると共に、チェーンは、この連結リングを介して雄ねじ部材及び雌ねじ部材のうちの一方に連結される。尚、請求項６の発明においても、前述の「請求項４の発明」の特徴を備えてもよい。つまり、請求項６の発明の排水栓において、「栓の大径側に鍔が設けられていること」を特徴としてもよい（以下、「応用発明」という。）。この場合、前述の請求項４の発明と同様な効果が得られる。つまり、応用発明では、栓の大径側に鍔を設けたから、水圧による排水栓の排水口への過度の食い込みが防止され、排水栓の脱着を容易に行うことができる。また、栓に外嵌された円錐台状カバーの大径側を鍔が隠すことになるから、排水栓の美観上好ましい。
【００２８】
尚、請求項４の発明、請求項５の発明及び応用発明において、「１個または複数個の円錐台状カバーの装着態様」としては、円錐台状カバー（例えば、大径側に開口部を備える円錐台型の容器状のカバー）が、「栓のうちで栓本体部のみを外嵌する装着態様」を例示できる。但し、この他に、円錐台状カバーを、円錐台状のカバー本体部と、カバー本体部の開口部（大径側部分）から延設する鍔部とを備える構成とする場合には、以下の装着態様を採用することもできる。つまり、カバー本体部で栓本体部を外嵌すると共に、鍔部を栓の鍔の下部（若しくは、他の円錐台状カバーの鍔部の下部）に添えるように配置する（添着する）装着態様を例示することもできる。
【発明の効果】
【００２９】
以上説明したように、本発明によれば、排水口に合わせて最適なサイズの円錐台状カバーを栓に外嵌すれば様々なサイズの排水口の閉止に適用でき、排水口に最適な排水栓を提供することができる。したがって、浴槽、洗面台等の排水口のサイズに合った排水栓を探すのに手間取ることがなくなり、また、準備した排水栓が排水口の大きさに合わなくて排水栓としての機能を果たさないというトラブルが発生することも解消される。
【発明を実施するための最良の形態】
【００３０】
次に、本各発明に係わる「排水栓の最良の形態（以下、「実施形態」という。）を図面に従って詳細に説明する。
【００３１】
先ず、排水栓の第１の実施形態について図を参考にして詳細に説明する。図１〜図３に示すように、本発明の排水栓１０は排水栓チェーン１０２を介して、例えば浴槽１０３に取り付けられるものであり、排水栓１０は栓１と雌ねじ部材６と雄ねじ部材４１と３個の円錐台状カバー１１、２１、３１とから構成されている。栓１は円錐台状を成す栓本体部２と栓本体部２の大径側に設けられた鍔３とから構成されていて、栓中央部には円錐台軸心方向に挿通孔５が設けられている。雌ねじ部材６は鍔７が設けられた略円柱状をなしており、一方端に雌ねじ８が螺刻されていて他方端にチェーン取付部としての排水栓チェーン取付用穴９が設けられている。第１の円錐台状カバー１１は略円錐台状をなし、内部形状は栓本体部２と略等しい形状をなしていて中央部には円錐台軸心方向に挿通孔１２が形成されている。第２の円錐台状カバー２１は略円錐台状をなし、内部形状は第１の円錐台状カバーの外形と略等しい形状をなしていて中央部には円錐台軸心方向に挿通孔２２が形成されている。また、第３の円錐台状カバー３１は略円錐台状をなし、内部形状は第２の円錐台状カバーの外形と略等しい形状をなしていて中央部には円錐台軸心方向に挿通孔３２が形成されている。雄ねじ部材４１は頭部４２と雌ねじ８と螺合する雄ねじ４３が螺刻された雄ねじ部４４とから構成されていて、頭部４２にはコインの厚みよりやや幅の広い溝４５が形成されている。
【００３２】
次に、上記排水栓の組み立て方の一例について説明する。まず、栓１の挿通孔５に雌ねじ部材６の一方端を挿入する。そして、栓１の小径側の栓本体部２に第１の円錐台状カバー１１を外嵌し、さらに第１の円錐台状カバー１１に第２の円錐台状カバー２１を外嵌し、さらに第２の円錐台状カバー２１に第３の円錐台状カバー３１を外嵌する。その後、雄ねじ部材４１を円錐台状カバーに設けられている挿通孔３２、２２、１２に挿通し、雌ねじ部材６の雌ねじ８と螺合させ、溝４５にコインを嵌め、雄ねじ部材４１を回して締付けることにより、栓１と円錐台状カバー１１、２１、３１とを挟着して一体化する。
【００３３】
上記のように組み立てた排水栓１０の円錐台状カバーのサイズが排水口１０１のサイズよりも大きくて排水口１０１を閉止できない場合は、例えば、第３の円錐台状カバー３１を上記の組み立て方の逆の手順で取り外し、第１の円錐台状カバー１１と第２の円錐台状カバー２１を外嵌した状態で、雄ねじ部材４１を円錐台状カバーに形成されている挿通孔２２、１２に挿通し、雌ねじ部材６の雌ねじ８と螺合させ、溝４５にコインを嵌め、雄ねじ部材４１を回して締付けることにより、栓１と円錐台状カバー１１、２１とを挟着して一体化することにより排水口１０１の閉止を可能にすることができる。
【００３４】
次に排水栓の第２の実施形態について図４を参考にして詳細に説明する。排水栓１０は栓１と雌ねじ部材としての六角ナット６０と雄ねじ部材４１と３個の円錐台状カバー１１、２１、３１とから構成されている。栓１は円錐台状を成す栓本体部２と栓本体部２の大径側に設けられた鍔３とから構成されていて、栓中央部には円錐台軸心方向に挿通孔５が形成されている。第１の円錐台状カバー１１は略円錐台状をなし、内部形状は栓本体部２と略等しい形状をなしていて中央部には円錐台軸心方向に挿通孔１２が形成されている。第２の円錐台状カバー２１は略円錐台状をなし、内部形状は第１の円錐台状カバーの外形と略等しい形状をなしていて中央部には円錐台軸心方向に挿通孔２２が形成されている。また、第３の円錐台状カバー３１は略円錐台状をなし、内部形状は第２の円錐台状カバーの外形と略等しい形状をなしていて中央部には円錐台軸心方向に挿通孔３２が形成されている。雄ねじ部材４１は平行２面４６を持つ頭部４２と六角ナット６０と螺合する雄ねじ４３が螺刻された雄ねじ部４４とから構成されていて、頭部４２にはチェーン取付部としての排水栓チェーン取付用穴９が設けられている。
【００３５】
次に、上記排水栓の組み立て方の一例について説明する。まず、栓１の小径側の栓本体部２に第１の円錐台状カバー１１を外嵌し、さらに第１の円錐台状カバー１１に第２の円錐台状カバー２１を外嵌し、さらに第２の円錐台状カバー２１に第３の円錐台状カバー３１を外嵌する。その後、雄ねじ部材４１を栓１の大径側から挿通孔５、円錐台状カバーの挿通孔１２、２２、３２に挿通し、第３の円錐台状カバーの小径側に突出した雄ねじ部４４に六角ナット６０を螺合させ、工具等により締付けることにより、栓１と円錐台状カバー１１、２１、３１とを挟着して一体化する。
【００３６】
上記の第２の実施形態の排水栓１０で、排水栓１０のサイズが排水口１０１のサイズよりも大きくて排水口１０１を閉止できない場合は、六角ナット６０を雄ねじ部材４１から取り外し、例えば、第３の円錐台状カバー３１を取り外し、第１の円錐台状カバー１１と第２の円錐台状カバー２１を外嵌した状態で、六角ナット６０を雄ねじ４３に螺合させ、工具等により締付けることにより、栓１と円錐台状カバー１１、２１とを挟着して一体化すれば、排水口１０１の閉止を可能にすることができる。
【００３７】
次に排水栓の第３の実施形態について図５を参考にして説明する。図５に示すように第３の実施形態は、栓１に鍔がない点で第１の実施形態と相違するが、他は第１の実施形態と同様に構成されている。第３の実施形態では、栓１に鍔がなく水圧により排水栓は排水口１０１に食い込んだ状態で排水口１０１を閉止するから、排水栓の水密性は向上する。
なお、排水栓の組み立て方も第１の実施形態と同様の方法で組み立てることができる。
【００３８】
次に、排水栓の第４の実施形態について図を参考にして詳細に説明する。尚、この実施形態４の排水栓１０は、請求項５及び請求項６の発明の具体例を構成するものである。
【００３９】
この第４の実施形態の排水栓１０は、図６に示すように、排水栓チェーン１０２と、この排水栓チェーン１０２の一端に装着された連結リング１０２ａ（排水栓側の連結リング）と、この排水栓チェーン１０２の他端に装着された連結リング１０２ｂ（浴槽側の連結リング）と、を介して、例えば浴槽１０３に取り付けられるものである。尚、この排水栓チェーン１０２と、２つの連結リング１０２ａ、１０２ａによって連結具の具体例を構成する。
【００４０】
この排水栓１０も、図７に示すように、栓１と、雌ねじ部材６と、雄ねじ部材４１と、３個の円錐台状カバー１１、２１、３１とから構成されている。このうち、栓１は、弾性に富む素材（例えば、ＮＢＲ）を用いて構成されている。また、栓１は、図８に示すように、円錐台状を成す栓本体部２と、栓本体部２の大径側部分２ａから延設された鍔３と、から構成されている。そして、栓１の中央部には円錐台軸心方向に挿通孔５が設けられている。尚、栓本体部２は、上部に大径側部分２ａを配置し、下部に小径側部分２ｂを配置すると共に、軸心を上下に向けた円錐台状を備えている。また、鍔３は、本体部２の大径側部分２ａから、その半径外側方向に略リング状に延設された状態となっている。
【００４１】
雌ねじ部材６は、栓１よりも剛性の高い素材（例えば、ＰＯＭ）を用いて構成されている。この雌ねじ部材６は、図８に示すように、底面で開口するドーム形状（容器を逆さまにしたような形状）に構成される本体部６ａと、本体部６ａの軸心位置において軸心を上下に向けて配置された筒状部６ｂと、本体部６ａの内壁面及び筒状部６ｂの外壁面の間に掛け渡されたリブ６ｃ｛図９（ｂ）及び（ｃ）参照｝と、を備えている。そして、この筒状部６ｂの内壁には雌ねじ８が螺刻されている。尚、筒状部６ｂは、雌ねじ部材６としての本来の機能（つまり、ナットとしての機能）を有する部分であるが、雌ねじ部材６全体の外径は、筒状部６ｂの外径に比べて大きくされている。
【００４２】
雌ねじ部材６の底面では、図９（ｂ）に示すように、本体部６ａの略リング状の下端面６Ａと、筒状部６ｂの略リング状の下端面６Ｂとが同一平面上に配置されている。そして、本体部６ａの下端面６Ａが「押圧部」の具体例を構成する。この本体部６ａの下端面６Ａ（押圧部）の外縁寸法は、前述の「栓本体部２の大径側部分２ａ」の外縁寸法よりも大きくされている。尚、本実施形態では、「リング状の面によって構成される押圧部」を例示したが、押圧部の態様はこれに限定されない。例えば、平滑な平面によって構成される押圧部（例えば、フランジ状の平滑面によって構成される押圧部）、格子状に構成される押圧部、若しくは、枠状に構成される押圧部、等であってもよい。
【００４３】
本体部６ａの上面には、図７に示すように、本体部６ａの直径方向に沿って並ぶ２つの当接突起６ｄ、６ｄが設けられている。これらの当接突起６ｄ、６ｄは、本体部６ａの上方であって、雌ねじ８の外側に位置する円周上に（仮想的な円周上に）、２つの当接部を形成するためのものである。換言すると、これらの当接突起６ｄ、６ｄは、本体部６ａの上方において、雄ねじ部材４１の軸部４１ａの旋回位置の外側に位置する部位に、２つの当接部を形成するためのものである。
【００４４】
これらの当接突起６ｄ、６ｄは、本体部６ａの上方において、筒状部６ｂの上端開口部を跨ぐ状態で鏡面対称な状態に配置されている。そして、これらの当接突起６ｄ、６ｄは、雌ねじ８を上方を跨ぐ状態にて、略等脚台形状の当接面（符号６ｆで示す面部分と、その両脇の符号６ｇ、６ｇで示す面部分とで構成される面）を対向させている。つまり、これらの当接面は、雌ねじ８の上端開口部に沿って円弧状に形成される中央部６ｆと、中央部６ｆの両脇に「略ハの字状」に配置される側部６ｇ、６ｇとを備えている。
【００４５】
雄ねじ部材４１は、図８に示すように、軸部（雄ねじ部）４１ａと、軸部４１ａの一端に設けられた頭部４１ｂとを備えている。また、軸部４１ａには、前述の雌ねじ８が螺合可能な雄ねじ４３が螺刻されている。更に、軸部４１ａの他端には、前述の連結リング１０２ａが取り付けられる取付部（つまり、排水栓チェーン取付用穴）４１ｃが、穴状に設けられている。
【００４６】
各円錐台状カバー１１、２１、３１は、何れも、栓１と同一の素材（例えば、ＮＢＲ）によって構成されている。このうち、第１の円錐台状カバー１１は、図８に示すように、略円錐台状（上方に開口する略円錐台型の容器形状）をなし、内部形状は栓本体部２と略等しい形状（栓本体部２と略凹凸が反転する空間形状）をなしていて、中央部には円錐台軸心方向に挿通孔１２が形成されている。また、第２の円錐台状カバー２１も、図８に示すように、略円錐台状（上方に開口する略円錐台型の容器形状）をなし、内部形状は第１の円錐台状カバーの外形と略等しい形状（第１の円錐台状カバーの外形と略凹凸が反転する空間形状）をなしていて、中央部には円錐台軸心方向に挿通孔２２が形成されている。
【００４７】
更に、第３の円錐台状カバー３１も、図８に示すように、略円錐台状（上方に開口する略円錐台型の容器形状）をなし、内部形状は第２の円錐台状カバーの外形と略等しい形状（第２の円錐台状カバーの外形と略凹凸が反転する空間形状）をなしていて、中央部には円錐台軸心方向に挿通孔３２が形成されている。このように、本実施形態では、各円錐台状カバー１１、２１、３１の外形が略同様とされているが、各円錐台状カバー１１、２１、３１のうちで、より外側に装着されるもの外周面の傾斜角が、より内側に装着されるもの外周面の傾斜角よりも大きくされている。
【００４８】
本実施形態では、栓本体部２に所望の数の円錐台状カバー１１、２１、３１を外嵌して閉止部Ｈを構成したり、栓本体部２単独で閉止部Ｈを構成する。例えば、図６に示すように、栓本体部２に、その小径側部分２ｂから第１の円錐台状カバー１１を外嵌し、第１の円錐台状カバー１１に、その小径側部分から第２の円錐台状カバー２１を外嵌すると共に、第２の円錐台状カバー２１に、その小径側部分から第３の円錐台状カバー３１を外嵌すると、最大の外径を備える閉止部Ｈが構成される。この場合、栓１の挿通孔５と、３つの円錐台状カバー１１の挿通孔１２、２２、３２が連通し、最長の貫通孔Ｋが構成される。
【００４９】
また、図示を省略するが、栓本体部２単独で閉止部Ｈを構成すると、最小の外径を備える閉止部Ｈが構成され、この場合、栓１の挿通孔５のみによって、最短の貫通孔Ｋが構成される。つまり、本実施形態（前述の実施形態でも同様）では、円錐台状カバー１１、２１、３１を使用するか否かを選択したり、円錐台状カバー１１、２１、３１を使用する場合にはその使用数を選択することにより、閉止部Ｈの外径と貫通孔Ｋの長さが変更される。
【００５０】
次に、第４の実施形態の排水栓１０の組み立て方の一例について説明する。この排水栓１０においては、まず、栓１の小径側の栓本体部２に第１の円錐台状カバー１１を外嵌し、さらに第１の円錐台状カバー１１に第２の円錐台状カバー２１を外嵌し、さらに第２の円錐台状カバー２１に第３の円錐台状カバー３１を外嵌し、閉止部Ｈを構成する。尚、この組み立て例では、最大の外径を備える閉止部Ｈを構成する態様を例示するが、この閉止部Ｈのサイズは、排水口１０１のサイズとの関係で変更可能である。つまり、排水口１０１の開口部の孔径が小さい場合には、栓本体部２単独で閉止部Ｈを構成することもできるし、この孔径が大きくなるに従って、栓本体部２の外嵌する円錐台状カバー１１、２１、３１を増やしてもよい。
【００５１】
所望の外径を備える閉止部Ｈを構成した後、雄ねじ部材４１を、閉止部Ｈの小径側からこの閉止部Ｈに装着する。即ち、雄ねじ部材４１の軸部４１ａを、その他端側（頭部４１ｂの設けられていない端部側）を先頭にして、閉止部Ｈの小径側（下面側）から貫通孔Ｋに挿通し、軸部４１ａの他端部側及び雄ねじ４３を閉止部Ｈの大径側（上面側）に突出させる。そして、この雄ねじ４３に、雌ねじ部材６の雌ねじ８と螺合させ、溝４５にコインを嵌め、雄ねじ部材４１を回して締付けることにより、栓１と円錐台状カバー１１、２１、３１とを挟着して一体化する。
【００５２】
このとき、図６に示すように、雌ねじ部材６に加えるの締付力を微調節し、取付部４１ｃの軸心が、２つの中央部６ｆ、６ｆの間において、中央部６ｆ、６ｆと略平行になるようにする。そして、この雌ねじ部材６の締付けにより、閉止部Ｈは、「筒状部６ｂの下端面６Ｂ及び本体部６ａの下端面６Ａ（つまり、押圧部）」と、頭部４１ｂと、で挟持された状態となる。その際、図６に示すように、押圧部（本体部６ａの下端面６Ａ）は、第３の円錐台状カバー３１の開口部側の端面３１ａと鍔３を挟んで対向する状態となる。つまり、雌ねじ部材６の一端部（下端面）は、栓本体部２ばかりでなく、「栓本体部２の大径側部分２ａから延設された鍔３のうちで、第３の円錐台状カバー３１の開口部のサイズに相当する部位」にも押圧部（本体部６ａの下端面６Ａ）によって当接した状態となる。
【００５３】
また、第４の実施形態の排水栓１０においては、押圧部（６Ａ）が略リング形状に構成される。このため、押圧部（６Ａ）と鍔３との接触面積を小さくしつつも、押圧部（６Ａ）を鍔３の広範な部位に接触されることができる。換言すると、鍔３は、押圧部（６Ａ）からの十分な大きさの圧力を広範囲に、しかも、バランス良く受けることになるため、雌ねじ部材６と栓１とが十分に密着した状態となる。また、上記の第４の実施形態の排水栓１０においても、排水栓１０のサイズが排水口１０１のサイズよりも大きくて排水口１０１を閉止できない場合は、雌ねじ部材６を雄ねじ部材４１から取り外し、例えば、第３の円錐台状カバー３１を取り外し、第１の円錐台状カバー１１と第２の円錐台状カバー２１を外嵌した状態で、雌ねじ部材６を雄ねじ４３に螺合させ、工具等により締付けることにより、栓１と円錐台状カバー１１、２１とを挟着して一体化すれば、排水口１０１の閉止を可能にすることができる。
【００５４】
第４の実施形態の排水栓１０においては、雌ねじ部材６を装着した後、図６及び図１０（ａ）に示すように、取付部４１ｃに連結リング１０２ａを取り付けると、排水栓チェーン１０２が、この連結リング１０２ａを介して排水栓１０に連結された状態となる。また、２つの中央部６ｆ、６ｆによって挟まれた空間内に連結リング１０２ａの一部（下方側の部分）が進入した状態となる。このため、図１０（ｂ）に示すように、仮に、連結リング１０２ａ及び雄ねじ部材４１（軸部４１ａ）からなる連結体に対して、回転を加えようとすると、この連結体が僅かに回転したところで｛図１０（ｂ）の矢印Ａを参照｝、連結リング１０２ａが当接突起６ｄ、６ｄの側部６ｇ、６ｇに当接する。このため、連結体のそれ以上の回転を禁止され、雄ねじ部材４１及び雌ねじ部材６の間に不用意な緩みを生ずることを防止できる。
【００５５】
第４の実施形態の排水栓１０によると、第１の実施形態の排水栓１０と同様な効果の他に以下の効果が得られる。つまり、第４の実施形態の排水栓１０では、雌ねじ部材６の一端に、鍔３を押圧可能な押圧部（本体部６ａの下端面６Ａ）を設ける。そして、この押圧部（６Ａ）を鍔３に当接させて鍔３を押圧しつつ、雌ねじ部材６と頭部４１ｂとで閉止部Ｈを挟着している。即ち、雌ねじ部材６に、押圧部（６Ａ）を付加し、この押圧部（６Ａ）によって鍔３を確実に押圧するため、鍔３が被密着部位１０５（浴槽１０３において排水口１０１の周囲の部位）に十分に密着できる。このため、第４の実施形態の排水栓１０によると、「排水栓」の閉止性能（シール性能）を高めることができる。
【００５６】
更に、第４の実施形態の排水栓１０によると、雄ねじ部材４１及び雌ねじ部材６に相対回転を生じ、雄ねじ部材４１及び雌ねじ部材６が不用意に緩もうとした場合に、連結リング１０２ａが、当接突起６ｄ、６ｄに当接する。即ち、雄ねじ部材４１と一体回転する連結リング１０２ａが、当接突起６ｄ、６ｄに当接し、「雄ねじ部材４１及び雌ねじ部材６の間に、その以上の相対回転を生ずること」が禁止され、雄ねじ部材４１及び雌ねじ部材６の緩み止めが図られる。しかも、この緩み止めのために、「通常の排水栓において一般的に用いられる連結リング１０２ａ」を利用する。つまり、通常の排水栓においても、構造上不可欠な部品（連結リング１０２ａ）を巧みに利用するため、排水栓１０の構成を複雑化することなく、雄ねじ部材４１及び雌ねじ部材６の不用意な緩みを防止できる。
【００５７】
尚、第４の実施形態の排水栓１０では、（１）栓１に第１の円錐台状カバー１１と第２の円錐台状カバー２１を外嵌した場合と、（２）第１〜第３の円錐台状カバー１１、２１、３１を外嵌し、閉止部Ｈの肉厚を大き目とした場合に、連結リング１０２ａの下方側の部分が、２つの中央部６ｆ、６ｆによって挟まれた空間内に進入した状態となる。つまり、図１１（ａ）に示すように、栓１のみで閉止部Ｈを構成したり、栓１に１つの第１の円錐台状カバー１１を外嵌して閉止部Ｈを構成する場合、連結リング１０２ａは、２つの中央部６ｆによって挟まれた空間よりも上方に位置するため、当接突起６ｄ、６ｄによって、「雌ねじ部材６及び雄ねじ部材４１間のねじの緩み防止できる」という効果を得ることができない。但し、図１１（ｂ）に示すように、当接突起６ｄ、６ｄの高さ（雌ねじ部材６の上面からの突出量）を高くすることで、「雌ねじ部材６及び雄ねじ部材４１間のねじの緩み防止できる」という効果を得ることができる。
【００５８】
また、第４の実施形態では、同一円周上に２つの当接部（例えば、当接突起６ｄ）を設ける態様を例示したが、請求項６の発明において、当接部の数は種々変更可能である。例えば、図１２（ａ）に示すように、当接部（例えば、当接突起６ｄ）の数を１つとしてもよいし、図１２（ｂ）に示すように、同一円周上に３つの当接部（例えば、当接突起６ｄ）を設けたり、図示を省略するが、同一円周上に４つ以上の当接部を設けてもよい。そして、当接部（例えば、当接突起６ｄ）の数を３つ以上とすると、雌ねじ部材及び雄ねじ部材間に生じ得る「がたつき（遊びであって、雌ねじ部材及び雄ねじ部材間に不可避的に生ずる回転）量を少なくできる」という効果を得ることもできる。つまり、３つ以上の当接部の数を、同一円周上に並べると、隣接する当接部の間隔が狭くなる。このため、雌ねじ部材及び雄ねじ部材間に相対回転を生じたときに、より少ない回転量で連結具が当接部に当接し、以後の相対回転が禁止されるからである。
【００５９】
更に、第４の実施形態の排水栓１０では、雌ねじ部材６に当接部（当接突起６ｄ、６ｄ）を設け、雄ねじ部材４１に連結具（連結リング１０２ａ）を取着する態様を例示したが、請求項６の発明においては、図１３（ａ）〜（ｃ）の変形例に示すように、雄ねじ部材４１に当接部を設け、雌ねじ部材６に連結具を取り付けてもよい。
【００６０】
この変形例では、筒状部６ｂの上方に延設部６ｐを設け、この延設部６ｐに対してその直径方向に沿った取付部６ｑを設ける。一方、雄ねじ部材４１の他端側（「反」頭部４１ｂ側の端部）にも、延設部４１ｑを設け、この延設部４１ｑには、その軸心位置を通過する切り欠き部４１ｒを設ける。この切り欠き部４１ｒは、延設部４１ｑの延設端と、延設部４１ｑの側面（延設部４１ｑの１つの直径方向に沿った両端に位置する部位）と、で開口する。このため、延設部４１ｑにおいては、相互に対向し合う２つ当接面４１ｔ、４１ｔが、延設部４１ｑの軸心を沿って形成される。これらの当接面４１ｔ、４１ｔは、何れも、延設部４１ｑの軸線と平行な軸線を基準に屈曲した面形状を備える。尚、これらの当接面４１ｔ、４１ｔは、「当接部」の具体例を示している。また、この変形例においても、当接部の数は２つの限定されず、１つ、若しくは、３つ以上であってもよい。
【００６１】
この変形例においても、図１３（ａ）に示すように、第４の実施形態と同様に、閉止部Ｈに、雄ねじ部材４１を装着し、更に、雄ねじ部材４１に雌ねじ部材６を螺合すると、雄ねじ部材４１の延設部４１ｑは、雌ねじ部材６の延設部６ｐの内部に進入する。このとき、図１３（ａ）及び図１４（ａ）に示すように、取付部６ｑの軸心が切り欠き部４１ｒと位置合わせされるように、雌ねじ部材６に加えるの締付力を調節する。そして、このように、雌ねじ部材６を装着すると、この変形例においても、閉止部Ｈは、雌ねじ部材６と頭部４１ｂとで挟持された状態となる。そして、取付部６ｑに連結リング１０２ａを取り付けると、この排水栓１０は、排水栓チェーン１０２と連結された状態となる。
【００６２】
この変形例においても以下の効果が得られる。つまり、この変形例の排水栓１０によると、雄ねじ部材４１及び雌ねじ部材６に相対回転を生じ、雄ねじ部材４１及び雌ねじ部材６が不用意に緩もうとした場合には、連結リング１０２ａに対して相対的に回転する当接面４１ｔ、４１ｔ｛図１３（ｃ）の矢印Ｒを参照｝が、図１４（ｂ）に示すように、連結リング１０２ａに当接する。そして、当接面４１ｔ、４１ｔ、ひいては、雄ねじ部材４１の「それ以上の相対回転」が禁止され、雄ねじ部材４１及び雌ねじ部材６の緩み止めが図られる。しかも、この変形例においても、この緩み止めために、通常の排水栓において構造上不可欠な部品（連結リング１０２ａ）を巧みに利用するため、排水栓１０の構成を複雑化することなく、雄ねじ部材４１及び雌ねじ部材６の不用意な緩みを防止できる。
【００６３】
尚、第４の実施形態では、押圧部（本体部６ａの下端面６Ａ）のサイズを、その外縁部が、第３の円錐台状カバー３１の開口部側の端面３１ａと鍔３を挟んで対向する状態となるように定めたが、押圧部（本体部６ａの下端面６Ａ）のサイズは、鍔３の少なくとも一部を押圧可能な範囲で種々選択できる。例えば、押圧部（本体部６ａの下端面６Ａ）のサイズを、その外縁部が、第２の円錐台状カバー２１の開口部側の端面、若しくは、第１の円錐台状カバー１１の開口部側の端面と鍔３を挟んで対向する状態となるように定めてもよい。
【００６４】
上記の実施形態ではいずれも円錐台状カバーを第１、第２、第３の円錐台状カバーを用いた例であるが、本発明の円錐台状カバーは３個に限らず、１個であっても、またいくつであっても同様の効果を得ることができる。たとえば、円錐台状カバーがｎ個であれば（ただし、ｎは２以上の整数とする。）、第１の円錐台状カバーは円錐台状とし、その内部形状は栓本体部と略等しい形状とし、かつ中央部には円錐台軸心方向に挿通孔を形成する。そして、第ｎの円錐台状カバーは略円錐台状とし、その内部形状は第（ｎ−１）の円錐台状カバーの外形と略等しい形状とし、かつ中央部には円錐台軸心方向に挿通孔を形成して、ｎ個の円錐台状カバーを順に外嵌することによりｎ個の円錐台状カバーを備えた排水栓を得ることができる。
また、本発明では円錐台状カバーをひとつも外嵌しないで、排水栓とすることも可能であり、したがって、円錐台状カバーがｎ個である場合は（ｎ＋１）種類のサイズの排水栓を提供することができる。言うまでもないが、円錐台状カバーが１個の場合は２種類のサイズの排水栓を提供することができる。
【００６５】
以上本発明について説明したが、本発明は上記実施の形態に限られるものではなく、本発明の趣旨の範囲内で種々の変更が可能である。例えば、円錐台状カバーの内部形状の頂角と外形の頂角の角度を変えることができる。この場合には円錐台状カバーの外形の頂角を排水口の頂角により合わせることができるから、排水栓の水密性を一層向上させることができる。
【産業上の利用可能性】
【００６６】
本発明は、例えば、水栓の製造、販売、施工、加工等を行う分野で利用可能である。
【図面の簡単な説明】
【００６７】
【図１】本発明の排水栓の使用状態を示す縦断面図である。
【図２】第１の実施の形態に係る排水栓の分解斜視図である。
【図３】第１の実施の形態に係る排水栓の縦断面図である。
【図４】第２の実施の形態に係る図面であり、（Ａ）は排水栓の縦断面図、（Ｂ）は同じく排水栓を上から見た図である。
【図５】第３の実施の形態に係る排水栓の縦断面図である。
【図６】第４の実施の形態に係る排水栓の縦断面図である。
【図７】第４の実施の形態に係る排水栓の分解斜視図である。
【図８】第４の実施の形態に係る排水栓の分解縦断面図｛図中の雌ねじ部材は、図９（ａ）のａ−ａ縦断面に相当する。｝である。
【図９】（ａ）は第４の実施の形態に係る排水栓を構成する雌ねじ部材の平面図、（ｂ）は第４の実施の形態に係る排水栓を構成する雌ねじ部材の一部底面図、（ｃ）図９（ａ）のｂ−ｂ縦断面図である。
【図１０】（ａ）及び（ｂ）は、第４の実施の形態に係る排水栓において、「当接突起（当接部）」と、連結リング（連結具）とを説明するための説明図である。
【図１１】（ａ）は第４の実施の形態に係る排水栓の一使用態様を示す縦断面図、（ｂ）は第４の実施の形態の第１の変形例に係る排水栓を示す縦断面図である。
【図１２】（ａ）は第４の実施の形態の第２の変形例に係る排水栓を示す説明図、（ｂ）は第４の実施の形態の第３の変形例に係る排水栓を示す説明図である。
【図１３】（ａ）は第４の実施の形態の第４の変形例に係る排水栓を示す縦断面図、（ｂ）は１３（ａ）の雄ねじ部材の軸部の横断面図（ｃ−ｃ横断面図に相当）、（ｃ）は１３（ａ）の雄ねじ部材の延設部の横断面図（ｄ−ｄ横断面図に相当）である。
【図１４】（ａ）及び（ｂ）は、第４の実施の形態の第４の変形例に係る排水栓において、「当接突面（当接部）」と、連結リング（連結具）とを説明するための説明図である。
【図１５】請求項４の発明を充足するが、請求項５の発明を充足しない排水栓の縦断面図である。
【符号の説明】
【００６８】
１；栓、６；雌ねじ部材、６Ａ；本体部６ａの下端面（押圧部）、６ｄ；当接突起（当接部）、１０；排水栓、１１；円錐台状カバー、２１；円錐台状カバー、３１；円錐台状カバー、４１；雄ねじ部材、１０２；排水チェーン、１０２ａ；連結リング、１０２ｂ；連結リング。
【図１】
2005095583.tif 000003
【図２】
2005095583.tif 000004
【図３】
2005095583.tif 000005
【図４】
2005095583.tif 000006
【図５】
2005095583.tif 000007
【図６】
2005095583.tif 000008
【図７】
2005095583.tif 000009
【図８】
2005095583.tif 000010
【図９】
2005095583.tif 000011
【図１０】
2005095583.tif 000012
【図１１】
2005095583.tif 000013
【図１２】
2005095583.tif 000014
【図１３】
2005095583.tif 000015
【図１４】
2005095583.tif 000016
【図１５】
2005095583.tif 000017